(57)【要約】【課題】携帯機器からクレードル機器に供給される電力と、給電機器からの電力の供給を受けてクレードル機器から携帯機器に供給される電力との衝突の発生を抑えること。【解決手段】本発明のクレードル機器は、給電機器への接続による前記給電機器からの電力の供給と、携帯機器への接続による、前記携帯機器からの電力の供給と、前記給電機器からの電力の供給が行われている場合における前記携帯機器への電力の供給とが可能である。前記携帯機器は、接続されたクレードル機器に対し前記給電機器の接続がされたことに相当する情報、によりそのクレードル機器への電力の供給を停止する。本発明のクレードル機器は、前記給電機器からの電力の供給を受けて、前記携帯機器からの電力の供給及び前記携帯機器への電力の供給のいずれをも停止し、その後に、前記携帯機器への電力の供給を行う。【選択図】      図１
2016181994.tif 000002
【特許請求の範囲】
【請求項１】
給電機器への接続による前記給電機器からの電力の供給と、
接続されたクレードル機器に対し前記給電機器の接続がされたことに相当する情報、によりそのクレードル機器への電力の供給を停止する、携帯機器への接続による、前記携帯機器からの電力の供給と、
前記給電機器からの電力の供給が行われている場合における前記携帯機器への電力の供給と、
が可能なクレードル機器であって、
前記給電機器からの電力の供給を受けて、前記携帯機器からの電力の供給及び前記携帯機器への電力の供給のいずれをも停止し、その後に、前記携帯機器への電力の供給を行う、
クレードル機器。
【請求項２】
前記情報が、前記携帯機器から供給された電力の電流値である、請求項１に記載されたクレードル機器。
【請求項３】
前記情報が、前記給電機器が接続されたクレードル機器から送られた情報である、請求項１に記載されたクレードル機器。
【請求項４】
前記情報が、前記給電機器が接続されたクレードル機器から信号が送られなくなったことによりもたらされる情報である、請求項１に記載されたクレードル機器。
【請求項５】
前記情報により、クレードル機器と携帯機器とが接続が遮断されたことに相当する内容を携帯機器に判定させる、請求項３又は４に記載されたクレードル機器。
【請求項６】
接続された給電機器からの給電と、
前記給電機器からの給電が行われている場合における接続された携帯機器への給電と、
接続された携帯機器からの給電と
が可能であり、
前記給電機器への接続を受けて、前記携帯機器への電力の供給及び前記携帯機器からの電力の供給のいずれをも停止し、その後に前記携帯機器への給電を行う、接続されたクレードル機器に対し、給電機器が接続されたことに相当する情報、により、そのクレードル機器への電力の供給を停止する、
携帯機器。
【請求項７】
前記情報が、前記携帯機器から供給される電力の電流値である、請求項６に記載されたクレードル機器。
【請求項８】
前記情報が、前記給電機器が接続されたクレードル機器から送られた情報である、請求項６に記載された携帯機器。
【請求項９】
前記情報が、前記給電機器が接続されたクレードル機器か信号が送られなくなることによりもたらされた情報である、請求項６に記載された携帯機器。
【請求項１０】
携帯機器と、前記携帯機器への接続が可能なクレードル機器とを備え、
前記クレードル機器は、
給電機器への接続による、前記給電機器からの電力の供給と、
携帯機器への接続による、前記携帯機器からの電力の供給と、
前記給電機器からの電力の供給が行われている場合における、前記携帯機器への電力の供給と、
が可能であり、
前記給電機器からの電力の供給を受けて、前記携帯機器からの電力の供給及び前記携帯機器への電力の供給のいずれをも停止し、その後に、前記携帯機器への電力の供給を行う、
クレードル機器であり、
前記携帯機器は、接続された前記クレードル機器に対し前記給電機器の接続がされたことに相当する情報、により前記クレードル機器への電力の供給を停止する、携帯機器である、
機器システム。
【発明の詳細な説明】
【技術分野】
【０００１】
本発明は、クレードル機器又は携帯機器における給電に関する。
【背景技術】
【０００２】
クレードル機器は、携帯機器とは異なり、持ち運びを行う想定で設計されていることは少なく、その動作に十分な容量を持つ電池を内蔵しない場合が多い。そのため、クレードル機器を動作させるためには、ＡＣ（ａｌｔｅｒｎａｔｉｎｇ  ｃｕｒｒｅｎｔ）アダプタ等の電源経路機器や携帯機器からの電力の供給が必要な場合が多い。
【０００３】
携帯機器が備える電池からの電力の供給は、携帯機器の電池の電力供給可能時間の減少につながるので、クレードル機器は、給電機器から供給される電力と、携帯機器から供給される電力の両方により動作させられることが望ましい。
【０００４】
特許文献１に開示された方法は、ＵＳＢ（Ｕｎｉｖｅｒｓａｌ  Ｓｅｒｉａｌ  Ｂｕｓ）インタフェースによって接続可能な２つの機器が、接続されたＵＳＢケーブルのプラグ形状によって、マスターもしくはスレーブとして動作する方法である。そして、同方法は、マスター側の機器からスレーブ側の機器へと給電することを可能にする。それにより、同方法においては、マスター側の機器を介して、スレーブ側の機器に、給電機器を接続することができる。
【先行技術文献】
【特許文献】
【０００５】
【特許文献１】特開２００４−１０４９９８号公報
【発明の概要】
【発明が解決しようとする課題】
【０００６】
しかしながら、特許文献１に開示された方法においては、スレーブ側の機器に対して、マスター側の機器からの給電と、給電機器からの給電とが同時に行われた場合が考慮されていない。ここで、スレーブ側の機器は、本発明においてはクレードル機器に相当し、マスター側の機器は本発明においては携帯機器に相当すると考えられる。そのため、特許文献１に開示された方法においては、スレーブ側の機器に対して、マスター側の機器と給電機器からの給電が同時に行われた場合には、給電される電力の衝突が生じる。
【０００７】
クレードル機器に対して、携帯機器及びクレードル機器から同時に電力が供給された場合、携帯機器と給電機器とで電力を供給する電源に電位差があると、電位がより低い方への電流が生じることにより、電源回路が破壊される危険性がある。
【０００８】
通常、電源を出力する機能を持つＩＣや機器は、電流逆流防止用の保護回路が出力回路に内蔵されているが、電源の電位差が大きい場合はその保護機能自体の破壊の危険性がある。
【０００９】
本発明は、上記課題を解決し、クレードル機器に対し、携帯機器及び給電機器から同時に電力が供給されることを抑えることのできる、クレードル機器等を提供することを目的とする。
【課題を解決するための手段】
【００１０】
本発明のクレードル機器は、給電機器への接続による前記給電機器からの電力の供給と、携帯機器への接続による、前記携帯機器からの電力の供給と、前記給電機器からの電力の供給が行われている場合における前記携帯機器への電力の供給とが可能である。
【００１１】
前記携帯機器は、接続されたクレードル機器に対し前記給電機器の接続がされたことに相当する情報、によりそのクレードル機器への電力の供給を停止する。
【００１２】
本発明のクレードル機器は、前記給電機器からの電力の供給を受けて、前記携帯機器からの電力の供給及び前記携帯機器への電力の供給のいずれをも停止し、その後に、前記携帯機器への電力の供給を行う。
【発明の効果】
【００１３】
本発明のクレードル機器は、携帯機器からクレードル機器に供給される電力と、給電機器からの電力の供給を受けてクレードル機器から携帯機器に供給される電力との衝突の発生を抑えることができる。従い、本発明のクレードル機器は、給電機器及び携帯機器から同時に給電されることによる障害の発生確率を低減することができる。
【図面の簡単な説明】
【００１４】
【図１】第一実施形態のクレードル機器の構成を表わす概念図である。
【図２】第二実施形態の携帯機器の構成を表わす概念図である。
【図３】第三実施形態の機器システムの構成を表わす概念図である。
【図４】第三実施形態のクレードル機器検出回路、及び携帯機器検出回路の構成を表わす概念図である。
【図５】第三実施形態の携帯機器給電部、及びクレードル機器給電部の構成を表わす概念図である。
【図６ａ】第三実施形態の機器システムの電源経路を表わす概念図（その１）である。
【図６ｂ】第三実施形態の機器システムの電源経路を表わす概念図（その２）である。
【図６ｃ】第三実施形態の機器システムの電源経路を表わす概念図（その３）である。
【図７】第三実施形態の機器システムの動作フロー（その１）の例を表わす概念図である。
【図８】第三実施形態の機器システムの動作フロー（その２）の例を表わす概念図である。
【図９】第三実施形態の機器システムの動作フロー（その３）の例を表わす概念図である。
【図１０】第四実施形態の機器システムの構成を表わす概念図である。
【図１１】第五実施形態の機器システムの構成を表わす概念図である。
【図１２】第五実施形態の、クレードル機器検出回路、及び携帯機器検出回路の構成を表わす概念図である。
【図１３】第五実施形態の、クレードル機器検出回路部、及び携帯機器検出回路部の構成を表わす概念図である。
【発明を実施するための形態】
【００１５】
＜第一実施形態＞
本実施形態は、本発明の最小限のクレードル機器についての実施形態である。
【００１６】
図１は、本実施形態のクレードル機器の構成を表わす概念図である。
【００１７】
本実施形態のクレードル機器０２００は、図示しない給電機器、及び、図示しない携帯機器に接続することができる。
【００１８】
前記携帯機器は、クレードル機器０２００に前記給電機器が接続されたことに相当する情報により、クレードル機器への電力の供給を停止する携帯機器である。
【００１９】
クレードル機器給電部０２００は、前記給電機器からの電力の供給により、一度、クレードル機器０２００と前記携帯機器との間で電力が供給されないようにし、その後、クレードル機器０２００は、携帯機器に対して電力を供給する。
［効果］
本実施形態のクレードル機器は給電機器からの給電により、一度、クレードル機器と前記携帯機器との間で電力の供給がされないようにする。前記携帯機器は、クレードル機器に前記給電機器が接続されたことに相当する情報により、クレードル機器への電力の供給を停止する。その後、クレードル機器は前記携帯機器に対して電力を供給するが、その時には、携帯機器からクレードル機器への電力の供給は停止している。そのため、本実施形態のクレードル機器は、携帯機器からクレードル機器に供給される電力と、給電機器からの電力の供給を受けてクレードル機器から携帯機器に供給される電力との衝突を抑えることができる。従い、本実施形態のクレードル機器は、給電機器及び携帯機器から同時に給電されることによる障害の発生確率を低減することができる。
＜第二実施形態＞
本実施形態は、本発明の携帯機器についての実施形態である。
［構成］
図２は、本実施形態の携帯機器の構成を表わす概念図である。
【００２０】
本実施形態の携帯機器０１００は、図示しない電池を備え、図示しない給電機器に接続でき、前記給電機器に接続した場合には、前記給電機器からの給電が可能な図示しないクレードル機器に接続可能である。前記クレードル機器は、前記給電機器を接続した場合には、携帯機器０１００への接続により、携帯機器０１００への給電が可能である。
【００２１】
携帯機器０１００は、前記クレードル機器に給電機器が接続されたことに相当する情報により、前記クレードル機器への給電を停止する。
［効果］
本実施形態の携帯機器は、クレードル機器に給電機器が接続されたか否かに相当する内容により、クレードル機器への給電を停止する。クレードル機器に給電機器が接続された場合には、クレードル機器から携帯機器に電力が供給されることが想定される。クレードル機器から携帯機器に電力が供給された場合に、携帯機器がクレードル機器に電力を供給すると、電力の衝突が生じる危険性がある。本実施形態の携帯機器は、クレードル機器が携帯機器に電力を供給する可能性が高いことを予測し、その前に、携帯機器からクレードル機器へ電力を供給するのを停止する。そのため、本実施形態の携帯機器は、クレードル機器から携帯機器へ供給される電力と、携帯機器からクレードル機器へ供給される電力の衝突を抑えることができ、電力の衝突による障害の発生確率を低減することができる。
＜第三実施形態＞
本実施形態は、携帯機器とクレードル機器との接続及びクレードル機器と給電機器との接続にＵＳＢコネクタを使用した、携帯機器とクレードル機器とを備える機器システムの具体的な例についての実施形態である。
［構成］
図３は、本実施形態の機器システムの構成を表わす概念図である。
【００２２】
本実施形態の機器システム１０００は、携帯機器１００と、クレードル機器２００とを備える。
【００２３】
携帯機器１００は、第一接続部１と、携帯機器給電部２と、クレードル機器検出回路部３とを備える。
【００２４】
クレードル機器２００は、第二接続部４と、クレードル機器給電部５と、携帯機器検出回路部６と、第三接続部７とを備える。
【００２５】
第一接続部１と、第二接続部４は、携帯機器１００とクレードル機器２００との間で、信号経路を通じての信号の送受や電源経路を通じての電力の送受を行うための、図示しないマイクロＵＳＢコネクタにより接続可能な接続部である。
【００２６】
以下においては、第一接続部１と第二接続部４とをマイクロＵＳＢコネクタにより接続した状態について説明する。
【００２７】
第一接続部１と第二接続部４との間では、ＶＢＵＳ電源経路２１、ＵＳＢ＿Ｄ−信号経路２２、ＵＳＢ＿Ｄ＋信号経路２３、ＵＳＢ＿ＩＤ信号経路２４を備えるＵＳＢインタフェースを使用する。
【００２８】
また、第三接続部７は、図示しないマイクロＵＳＢコネクタにより給電機器９０に接続可能である。そして、その接続を行った場合には、給電機器９０からの信号経路を通じての信号の受信や電源経路を通じての電力の供給が可能な、マイクロＵＳＢコネクタ用の接続部である。
【００２９】
第三接続部７は、給電機器９０から、電源経路２７を通じて電力を、信号経路２８を通じて信号を、それぞれ受け取る。受け取った電力及び信号は、クレードル機器給電部５に送られる。
【００３０】
クレードル機器給電部５は、給電機器９０から信号経路２８を通じて送られた信号により給電機器９０がクレードル機器２００に接続されているかを判定する。
【００３１】
クレードル機器給電部５は、給電機器９０がクレードル機器２００に接続されていると判定した場合には、電源経路２７を通じてクレードル機器２００の各部に電力を供給する。供給された電力は、さらには、電源経路２７を通じて、ＶＢＵＳ電源経路２１を通じて、携帯機器１００の第一接続部１に供給される。
【００３２】
一方、第三接続部７に給電機器９０が接続されていない場合は、携帯機器給電部２は、後述の方法により、クレードル機器２００に給電部９０が接続されていないことに相当する内容を判定する。そして、携帯機器給電部２が、ＶＢＵＳ電源経路２１を通じて電力をクレードル機器２００に供給する。これにより、クレードル機器２００に給電機器９０が接続されていない状態でも、クレードル機器２００は動作することが可能となる。
【００３３】
ＵＳＢ＿Ｄ−信号経路２２及びＵＳＢ＿Ｄ＋信号経路２３は、携帯機器給電部２とクレードル機器給電部５間の通信用の信号経路であり、携帯機器１００とクレードル機器２００が接続された場合に、両信号経路を使用してＵＳＢ通信を行う。
【００３４】
また、本実施形態では詳細な説明を省くが、クレードル機器２００を介さず、直接携帯機器１００に給電機器９０が接続される場合もありえる。その場合は、携帯機器給電部２は、ＵＳＢ＿Ｄ−信号経路２２の信号、及びＵＳＢ＿Ｄ＋信号経路２３の電圧レベルを測定することで、給電機器９０の種類を判定する場合がある。
【００３５】
一方、クレードル機器検出回路部３及び携帯機器検出回路部６は、ＵＳＢ＿ＩＤ信号経路２４の信号により互いの接続有無を判定する。その接続有無に関する情報を含む信号は、クレードル機器検出回路部３からクレードル機器給電部５へは信号経路３０を通じて、携帯機器検出回路部６から携帯機器給電部２へは信号経路２５を通じて、それぞれ送られる。なお、クレードル機器給電部５から携帯機器検出回路部６及びその他クレードル機器構成１０へは電源経路３１を通じて、携帯機器給電部２からクレードル機器検出回路部３及びその他携帯機器構成１１へは電源経路２６を通じて電力が供給される。
【００３６】
ここで、その他クレードル機器構成１０は、クレードル機器２００の、ＵＳＢコネクタ４、クレードル機器給電部５、携帯機器検出回路部６及び給電用ＵＳＢコネクタ７以外の、その動作に電力の供給を必要とする構成の一部又は全部である。
【００３７】
また、その他携帯機器構成１１は、携帯機器１００の、第一接続部１、携帯機器給電部２及びクレードル機器検出回路部３以外の、その動作に電力の供給を必要とする構成の一部又は全部である。
【００３８】
携帯機器給電部２は、クレードル機器検出回路部３から送られる信号経路２５の電圧レベルを測定し、携帯機器１００にクレードル機器２００が接続されているか否かを判定する。また、クレードル機器検出回路部３及びその他携帯機器構成１１に電源経路２６を通じて電力を供給する。
【００３９】
クレードル機器検出回路部３は、ＵＳＢ＿ＩＤ信号経路２４の電圧レベルを測定することで、携帯機器１００にクレードル機器２００が接続されたか否かを判定する。携帯機器１００にクレードル機器２００が接続された場合は、信号経路２５の電圧レベルが表わす論理状態を変化させ、その信号を携帯機器給電部２に送る。信号経路２５の電圧レベルが表わす論理状態は、例えば、携帯機器１００にクレードル機器２００が接続されている場合はＨｉｇｈ、クレードル機器２００が接続されていない場合はＬｏｗである。また、クレードル機器検出回路部３は、携帯機器給電部２から電源経路２６を通じて供給される電力によって動作する。
【００４０】
クレードル機器給電部５は、クレードル機器２００に給電機器９０が接続されている場合、給電機器９０から電源経路２７を通じて供給される電力によって動作する。クレードル機器給電部５と給電機器９０は、信号経路２８、及び信号経路２９によって接続されており、クレードル機器給電部５は、信号経路２８の信号、及び信号経路２９の電圧レベルを測定することで、接続された給電機器９０の種類を判定する。クレードル機器２００に給電機器９０が接続されておらず、かつ携帯機器１００が接続されている場合、携帯機器１００からＶＢＵＳ電源経路２１を通じて供給される電力によって、クレードル機器給電制御部５は動作する。クレードル機器２００は電池を有していない場合は、ＶＢＵＳ電源経路２１もしくは電源経路２７のどちらかを通じて電力が供給されている場合にのみ、クレードル機器給電部５は動作することが可能である。また、クレードル機器給電部５は、携帯機器検出回路部６から送られる信号経路３０の電圧レベルを測定し、クレードル機器２００に携帯機器１００が接続されているか否かを判定する。また、携帯機器検出回路部６及びその他クレードル機器構成１０に電源経路３１を通じて電力を供給する。携帯機器検出回路部６及びその他クレードル機器構成１０は、電源経路３１を通じて供給される電力により動作する。
【００４１】
携帯機器検出回路部６は、ＵＳＢ＿ＩＤ信号経路２４の電圧レベルを測定することで、クレードル機器２００に携帯機器１００が接続されたか否かを判定する。そして、クレードル機器２００に携帯機器１００が接続された場合、信号経路３０の電圧レベルが表わす論理状態を変化させ、クレードル機器給電部５にその電圧レベルの電圧を送る。信号経路３０の電圧レベルが表わす論理状態は、例えば、クレードル機器２００に携帯機器１００が接続されている場合はＨｉｇｈ、携帯機器１００が接続されていない場合はＬｏｗである。また、携帯機器検出回路部６は、クレードル機器給電部５から電源経路３１を通じて供給される電力によって動作する。
【００４２】
第三接続部７は、ＡＣアダプタ等の給電機器９０とクレードル機器２００を接続するための物理インタフェースである。クレードル機器２００に給電機器９０が接続されたことに相当する内容が判定された場合、給電機器９０からクレードル機器給電制御部５に、電源経路２７を通じて電力が供給される。また、信号経路２８と信号経路２９とを、クレードル機器給電制御部５と給電機器９０の間で接続するための構造を有する。
【００４３】
次に、クレードル機器検出回路部３、及び携帯機器検出回路部６の構成例について、図４を参照して説明する。
【００４４】
図４は、クレードル機器検出回路部３及び携帯機器検出回路部６の構成例を表わす概念図である。
【００４５】
クレードル機器検出回路部３は、電圧監視ＩＣ５１と、抵抗５２とを備える。また、携帯機器検出回路６は、電圧監視ＩＣ５３と、抵抗５４とを備える。
【００４６】
同図では、携帯機器１００、及びクレードル機器２００がそれぞれ有する第一接続部１、及び第二接続部４を省略している。
【００４７】
電圧監視ＩＣ５１は、ＵＳＢ＿ＩＤ信号経路２４の電圧レベルを測定し、ＵＳＢ＿ＩＤ信号経路２４の電圧レベルが、電源経路２６の電圧レベルよりも低い場合に、信号経路２５の論理状態をＨｉｇｈとする。そして、電圧監視ＩＣ５１は、ＵＳＢ＿ＩＤ信号経路２４の電圧レベルが、電源経路２６の電圧レベルと同等である場合に、信号経路２５の論理状態をＬｏｗとする。また、電圧監視ＩＣ５１は、携帯機器給電部２から電源経路２６を通じて供給される電力によって動作する。
【００４８】
抵抗５２は、ＵＳＢ＿ＩＤ信号経路２４と電源経路２６の間で接続されるプルアップ抵抗である。携帯機器１００にクレードル機器２００が接続されていない場合、ＵＳＢ＿ＩＤ信号経路２４の電圧レベルは、抵抗５２によって電圧２６とほぼ同電位となる。そして、携帯機器１００にクレードル機器２００が接続された場合、抵抗５４によってＵＳＢ＿ＩＤ信号経路２４の電圧レベルは低下する。
【００４９】
電圧監視ＩＣ５３は、ＵＳＢ＿ＩＤ信号経路２４の電圧レベルを測定し、ＵＳＢ＿ＩＤ信号経路２４の電圧レベルが電源経路３１の電圧レベルよりも低い場合に、信号経路３０の論理状態をＬｏｗとする。そして、電圧監視ＩＣ５３は、ＵＳＢ＿ＩＤ信号経路２４の電圧レベルが電源経路３１の電圧レベルと同等である場合には、信号経路３０の論理状態をＨｉｇｈとする。また、電圧監視ＩＣ５３は、クレードル機器給電制御部５から電源経路３１を通じて供給される電力によって動作する。
【００５０】
抵抗５４は、ＵＳＢ＿ＩＤ信号経路２４と、クレードル機器の基準電位であるＧＮＤとの間で接続されるプルダウン抵抗である。クレードル機器２００に携帯機器１００が接続されていない場合、ＵＳＢ＿ＩＤ信号経路２４の電圧レベルは電源経路３１よりも低くなる。クレードル機器２００に携帯機器１００が接続された場合、ＵＳＢ＿ＩＤ信号経路２４の電圧レベルは、抵抗５２によって電源経路３１とほぼ同等になる。
【００５１】
次に、携帯機器給電部２、及びクレードル機器給電部５の構成例について、図５を参照して説明する。
【００５２】
図５は、携帯機器給電部２、及びクレードル機器給電部５の構成例を表わす概念図である。
【００５３】
携帯機器給電部２は、充電回路部５５と、電池５６と、携帯機器給電制御部５７と、電流測定回路部５８とを備える。
【００５４】
クレードル機器給電部５は、給電機器検出回路部５９と、ＦＥＴ６０と、ＦＥＴ６１と、ＦＥＴ６２と、クレードル機器給電制御部６３とを備える。ここで、ＦＥＴは電界効果トランジスタをいい、以下においても同じである。
【００５５】
なお、同図においては、携帯機器１００、及びクレードル機器２００がそれぞれ有する第一接続部１、第二接続部４、及び第三接続部７については、その記述を省略している。
【００５６】
充電回路部５５は、電池５６、電流測定回路部５８、携帯機器給電制御部５７と接続し、電池５６から電源経路３２を通じて供給される電力によって動作し、さらに携帯機器給電制御部５７に対して、電源経路３５を供給する。携帯機器１００にＶＢＵＳ電源経路２１を通じて供給される電力が供給されている場合、電流測定回路部５８を介して、充電回路部５５に電源経路３７を通じて供給される電力が供給される。この時、電池５６に対して電源経路３２を通じて供給される電力を供給することで、電池５６の充電を行う。充電回路部５５と携帯機器給電制御部５７は、電源経路３５以外に、信号経路３３、及び信号経路３４が接続され、充電回路部５５に電源経路３７を通じて電力が供給されている。すなわち、携帯機器１００にＶＢＵＳ電源経路２１を通じて電力が供給されている場合に、充電回路部５５は、信号経路３３の電圧レベルが表わす論理状態を変化させ、携帯機器給電制御部５７に送る。なお、充電回路部５５は、ＵＳＢ＿ＯＴＧ規格に基づく動作として、携帯機器１００がＵＳＢホストとして動作する際に、電源経路３７を通じて電力を供給することが可能である。充電回路部５５は、電流測定回路部５８を介して、ＶＢＵＳ電源経路２１を通じて供給される電力をＵＳＢデバイス機器、すなわちクレードル機器２００に対して供給する。充電回路部５５が電源経路３７を通じて電力を供給するための制御信号経路として信号経路３７を通じて携帯機器給電制御部５７から信号が送られる。また、充電回路部５５は、携帯機器給電制御部５７、及びクレードル機器給電制御部６３と、ＵＳＢ＿Ｄ−信号経路２２、及びＵＳＢ＿Ｄ＋信号経路２３によって接続されている。この接続は、携帯機器１００に接続された給電機器９０の種類を、充電回路部５５が判定するためのものであり、ＵＳＢ通信のインタフェースとしては使用しない。
【００５７】
電池５６は、携帯機器１００が備える充電可能な電池であり、携帯機器１００にＶＢＵＳ電源経路２１を通じて供給される電力が供給されている場合、充電回路部５５から供給される電源経路３２によって、電池５６は充電される。携帯機器１００にＶＢＵＳ電源経路２１を通じて電力が供給されていない場合、電池５６は、充電回路部５５に電源経路３２通じて供給される電力を供給する。
【００５８】
携帯機器給電制御部５７は、充電回路部５５から電源経路３５を通じて供給される電力によって動作し、クレードル機器検出回路部３に対して電源経路２６を通じて電力を供給する。また、携帯機器給電制御部５７は、充電回路部５５から送られる信号経路３３の電圧レベルを測定することで、携帯機器１００にＶＢＵＳ電源経路２１を通じて電力が供給されているか否かを判定する。携帯機器給電制御部５７は、クレードル機器検出回路部３から送られる信号経路２５の電圧レベルを測定することで、クレードル機器２００の接続有無を判定する。クレードル機器２００が携帯機器１００と接続されており、かつＶＢＵＳ電源経路２１を通じて電力が携帯機器１００に供給されている場合、携帯機器給電制御部５７は、クレードル機器給電制御部６３と通信を行う。この通信は、ＵＳＢ＿Ｄ−信号経路２２、及びＵＳＢ＿Ｄ＋信号経路２３によって行われる。クレードル機器２００が携帯機器１００と接続されており、かつＶＢＵＳ電源経路２１を通じて電力が携帯機器１００に供給されていると判定する場合、クレードル機器２００にＶＢＵＳ電源経路２１を通じて電力の供給を行う。この電力の供給は、クレードル機器２００を動作させるためのものであり、信号経路３４を通じて信号を充電回路部５５に送り、充電回路部５５から電源経路３７を通じて電力を供給させることにより行う。この時、携帯機器給電制御部５７は、電流測定回路部５８から送られる信号経路３６の電圧レベルを測定する。そして、携帯機器給電制御部５７は、信号経路３６の電圧レベルが変化した場合に、信号経路３４の電圧レベルの論理状態を変化させてその電圧レベルの電圧を充電回路部５５に送り、電源経路３７を通じての電力の供給を停止させる。
【００５９】
電流測定回路部５８は、ＶＢＵＳ電源経路２１と、電源経路３７の間に位置し、ＶＢＵＳ電源経路２１を、携帯機器１００からクレードル機器２００へ流れる電流を測定する。電流値を含む信号は、信号経路３６を通じて、携帯機器給電制御部５７に送られる。
【００６０】
携帯機器給電制御部５７は、電流測定回路部５８から送られた電流値が予め設定した閾値よりも低くなった場合、クレードル機器２００がＶＢＵＳ電源経路２１を通じて供給される電力を使用しなくなったと判断する。電力を使用しなくなったのは、クレードル機器２００に給電機器９０が接続されたためと想定されるためである。そして、携帯機器給電制御部５７は、信号経路３４の電圧レベルの論理状態を変化させ、充電回路部５５にその電圧レベルの電圧を送る。
【００６１】
充電回路部５５は、信号経路３４の電圧レベルの論理状態を変化により、電池５６から供給された電力を、電源経路３７を通じて、電流測定回路部５８を経由し、ＶＢＵＳ電源経路２１を通じて２００に供給するのを停止する。
【００６２】
給電機器検出回路部５９は、電源経路２７と、信号経路２８と、信号経路２９によって給電機器９０と接続され、給電機器９０から電源経路２７を通じて電力が供給された場合に、信号経路３８の論理状態を変化さる。その電圧レベルの電圧はＦＥＴ６０に送られ、ＦＥＴ６０はＯＦＦ（以下、電力を供給しない状態をいう。）になる。また、給電機器検出回路部５９は、信号経路２８の電圧レベル、及び信号経路２９の電圧レベルを測定することで、接続された給電機器９０の種類を判定する。そして、給電機器検出回路部５９は、給電機器９０がクレードル機器２００にて使用することが可能である場合、信号経路３９の電圧レベルの論理状態を変化さる。その電圧レベルの電圧はＦＥＴ６１に供給され、ＦＥＴ６１はＯＮ（以下、電流を流す状態をいう。）になる。なお、給電機器検出回路部５９は、電源経路２７を通じて供給される電力によって動作するため、クレードル機器２００に給電機器９０が接続されている場合のみ、動作することが可能である。
【００６３】
ＦＥＴ６０は、ＶＢＵＳ電源経路２１と、電源経路４１の間に位置し、給電機器検出回路部５９から送られる信号経路３８の電圧レベルの論理状態によって、ＯＮもしくはＯＦＦにする。ＦＥＴ６０がＯＮの場合、ＶＢＵＳ電源経路２１を通じて供給される電力は、ＦＥＴ６０を介して、電源経路４１を通じてクレードル機器給電制御部６３に供給される。ＦＥＴ６０がＯＦＦの場合、ＦＥＴ６０には電流が流れ無い為、ＶＢＵＳ電源経路２１と電源経路４１の間の電源経路は遮断される。
【００６４】
ＦＥＴ６１は、給電機器９０から供給される電源経路２７と、電源経路４１の間に位置し、給電機器検出回路部５９から送られる信号経路３９の電圧レベルの論理状態によって、ＯＮもしくはＯＦＦにする。ＦＥＴ６１がＯＮの場合、電源経路２７を通じて供給される電力は、ＦＥＴ６１を介して、電源経路４１を通じて、クレードル機器給電制御部６３に供給される。ＦＥＴ６１がＯＦＦの場合、ＦＥＴ６１には電流が流れ無い為、電源経路２７と電源経路４１の間の電源経路は遮断される。
【００６５】
ＦＥＴ６２は、ＶＢＵＳ電源経路２１と、電源経路４１の間で接続され、クレードル機器給電制御部６３から信号経路４０を通じて送られる信号によって、ＯＮもしくはＯＦＦになる。ＦＥＴ６２がＯＮの場合、電源経路４１を通じて供給される電力は、ＦＥＴ６２を介して、ＶＢＵＳ電源経路２１を通じて携帯機器１００に供給される。ＦＥＴ６２がＯＦＦの場合、ＦＥＴ６２には電流が流れ無い為、ＶＢＵＳ電源経路２１と電源経路４１の間の電源経路は遮断される。
【００６６】
クレードル機器給電制御部６３は、ＦＥＴ６０、もしくはＦＥＴ６１から電源経路４１を通じて供給される電力によって動作し、携帯機器検出回路部６に対して電源経路３１通じて電力を供給する。また、携帯機器検出回路部６から送られる信号経路３０の電圧レベルを測定することで、携帯機器１００の接続有無を判定し、給電機器検出回路部５９から送られる信号経路３８の電圧レベルを測定することで、給電機器９０の接続有無を判定する。クレードル機器２００に、携帯機器１００、及び給電機器９０が接続されている場合、クレードル機器給電制御部６３は、信号経路４０の電圧レベルの論理状態を変化させ、ＦＥＴ６２にその電圧レベルの電圧を供給し、ＦＥＴ６２をＯＮになる。携帯機器１００がクレードル機器２００と接続されており、かつ電源経路４１がクレードル機器給電制御部６３に供給されている場合、クレードル機器給電制御部６３は、携帯機器給電制御部５７と通信を行う。その通信は、ＵＳＢ＿Ｄ−信号経路２２、及びＵＳＢ＿Ｄ＋信号経路２３によって行われる。
次に、クレードル機器給電部５内の電源経路について、図６を参照して説明する。
【００６７】
図６ａ乃至図６ｃは、クレードル機器給電部５内の電源経路を表わす概念図である。
【００６８】
図６ａは、クレードル機器２００に、携帯機器１００、及び給電機器９０が接続されている状態を示しており、この時、ＦＥＴ６１、及びＦＥＴ６２がＯＮになる。電源経路を通じて、給電機器９０から、ＦＥＴ６１を介してクレードル機器給電制御部６３に電力が供給され、さらにＦＥＴ６２を介して、携帯機器１００に電力が供給される。この時、ＦＥＴ６０はＯＦＦであり、ＦＥＴ６０を介する経路は遮断される。
【００６９】
図６ｂは、クレードル機器２００に、携帯機器１００が接続されており、かつ給電機器９０が接続されていない状態を示しており、この時、ＦＥＴ６０がＯＮになる。電源経路を通じて供給される電力は、携帯機器１００から、ＦＥＴ６０を介してクレードル機器給電制御部６３に供給される。この時、ＦＥＴ６１、ＦＥＴ６２はＯＦＦであり、ＦＥＴ６１、ＦＥＴ６２を介する経路は遮断される。そのため、第三接続部７には電流が流れず、クレードル機器２００に給電機器９０が接続された場合でも、携帯機器１００から供給される電力が、給電機器９０に流れることは無い。
図６ｃは、図６ｂの状態から、クレードル機器２００に、給電機器９０を接続した状態を示している。この時、全てのＦＥＴがＯＦＦになり、各ＦＥＴを介する電源経路は遮断される。その場合、クレードル機器給電制御部６３は、携帯機器１００、及び給電機器９０から、同時に電力が供給されることは無く、両電源経路から供給される電力が衝突することも無い。
［動作フロー］
次に、本実施形態の機器システムにおける動作フローの例について説明する。
【００７０】
図７は、本実施形態の機器システムにおける動作フロー（その１）の例を表わす概念図である。
【００７１】
同図は、接続されていなかったクレードル機器２００を、携帯機器１００に接続してからの動作フローを表わしたものである。
【００７２】
なお、初期状態において、携帯機器１００は、電池５６からの電力によって動作しているものとする。
【００７３】
まず、クレードル機器２００に携帯機器１００を接続する。（スタート）
次に、携帯機器１００の電圧監視ＩＣ５１は、ＵＳＢ＿ＩＤ信号経路２４の電圧レベルが信号経路２５の電圧レベルよりも低くなっていることを検出する。（Ｓ００１）
そして、電圧監視ＩＣ５１は、信号経路２５の電圧レベルの論理状態を変化させ、その電圧レベルの電圧を、携帯機器給電部２の携帯機器給電制御部５７に送る。（Ｓ００２）
次に、携帯機器給電制御部５７は、携帯機器１００にクレードル機器２００が接続されていることを検出する。（Ｓ００３）
そして、携帯機器給電制御部５７の電流測定回路部５８は、その動作中は、ＶＢＵＳ電源経路２１の電流を測定している。電流の測定値は信号経路３６を通じて携帯機器給電制御部５７に送られる（Ｓ００４）
次に、携帯機器給電制御部５７は、ＶＢＵＳ電源経路２１の電流値が、正であるかについて判定する。ここで、電流値が正とは、ＶＢＵＳ電源経路２１を通じて、携帯機器給電部２からクレードル機器給電部５に電力が供給されている場合をいう。これは、以下においても同じである。（Ｓ００５）
Ｓ００５において、電流測定回路部５８から送られた電流値が正であると判定しなかった場合は、Ｓ００５に移行する。
【００７４】
一方、Ｓ００５において、電流測定回路部５８から送られた電流値が正であると判定した場合は、その電流値が、予め定めた閾値より小さいかを判定する。この判定は、クレードル機器２００に、給電機器９０が接続されているか否かに相当する内容について判定である。判定結果を含む信号は、信号経路３６を通じて、携帯機器給電制御部５７に送られる。（Ｓ００６）
Ｓ００６において、ＶＢＵＳ電源経路２１の電流が、予め設定した閾値より小さいと判定しなかった場合は、携帯機器給電制御部５７は、Ｓ００５に移行する。
【００７５】
一方、Ｓ００６において、ＶＢＵＳ電源経路２１の電流が、予め設定した閾値より小さいと判定した場合は、携帯機器給電制御部５７は、充電回路部５５から電源経路３７を通じて電力を供給させる必要がないと判断される。そのため、携帯機器給電制御部５７は、信号経路３４の電圧レベルの論理状態を変化させて、充電回路部５５にその電圧レベルの電圧を送る。（Ｓ００７）
そして、信号経路３４の電圧レベルの変化を受けて、充電回路部５５は、電池５６からの電力の供給を停止する。（Ｓ００８）
次に、給電機器検出回路部５９は、信号経路３８を通じて、ＦＥＴ６０をＯＮにする論理状態を表わす電圧レベルの電圧を、ＦＥＴ６０に印加する。（Ｓ００９）
そして、ＦＥＴ６０はＯＮになり、電源経路２７を通じて、ＦＥＴ６１を経由し、電源経路４１を通じて供給された電力を、ＶＢＵＳ電源経路２１を通じて電流測定回路部５８を経由し、電源経路３７を通じて、充電回路部５５に供給される。（Ｓ０１０）
次に、充電回路部５５は、供給された電力を、電池５６に供給し、電池５６の充電を行う。（Ｓ０１１）
そして、充電回路部５５は、供給された電力を、電源経路３５を通じて、携帯機器給電制御部５７を経由し、電源経路２６を通じてクレードル機器検出回路部３及びその他携帯機器構成１１に供給する。これにより、クレードル機器検出回路部３及びその他携帯機器構成１１は、給電機器９０からクレードル機器２００を経由して供給された電力により動作する。（Ｓ０１２）
そして、終了する。なお、本動作フローにおける終了とは、携帯機器検出回路部６及びその他クレードル機器構成１０、クレードル機器検出回路部３及びその他携帯機器構成１１が、給電機器９０から供給される電力により動作する状態である。この状態は、給電機器９０から供給される電力により電池５６が充電されている状態でもある。
【００７６】
次に、クレードル機器２００が携帯機器１００に接続され、携帯機器１００からクレードル機器２００に電力が供給されている状態において、給電機器９０がクレードル機器２００に接続された場合の動作フローを説明する。
【００７７】
図８は、本実施形態の機器システムにおける動作フロー（その２）の例を表わす概念図である。同図は上記場合についての動作フローである。
【００７８】
まず、給電機器９０がクレードル機器２００に接続される。これにより、給電機器９０から、電源経路２７を通じて、給電機器検出回路部５９に電力が供給される。（スタート）
携帯機器１００の電流測定回路部５８は、その動作中は常に、ＶＢＵＳ電源経路２１を通じて携帯機器給電部２からクレードル機器給電部５に供給される電力の電流値を測定している。その測定結果は信号経路３６を通じて携帯機器給電制御部５７に送られる。
【００７９】
携帯機器給電制御部５７は、その動作中は常に、電流測定回路部５８から送られた電流値が正であり、かつ、予め設定された閾値より小さいかについて判定している。ここで、電流値が正とは、ＶＢＵＳ電源経路２１を通じて、携帯機器給電部２からクレードル機器給電部５に電力が供給されている場合をいう。
【００８０】
次に、電源経路２７を通じての電力の供給を受けて、クレードル機器２００の給電機器検出回路部５９は、ＦＥＴ６０をＯＦＦにする論理状態を表わす電圧レベルの電圧を、信号経路３８を通じてＦＥＴ６０に印加する。これによりＦＥＴ６０はＯＦＦになる。その電圧は、信号経路３８を通じて、クレードル機器給電制御部６３に送られる。（Ｓ１０１）
そして、給電機器検出回路部５９から送られた電圧を受けて、クレードル機器給電制御部６３は、信号経路４０を通じて、ＦＥＴ６２をＯＦＦにするための論理状態を表わす電圧レベルの電圧を、ＦＥＴ６２に印加する。これによりＦＥＴ６２はＯＦＦになる。ＶＢＵＳ電源経路２１を通じての、携帯機器１００からクレードル機器２００への電力の供給はＯＦＦのＦＥＴ６０及びＦＥＴ６２により遮断される。この段階において、給電機器９０からの電力供給はＯＦＦのＦＥＴ６１により遮断されているので、電源経路３１を通じての携帯機器検出回路部６及びその他クレードル機器構成１０への電力の供給は停止する。（Ｓ１０２）
次に、携帯機器検出回路部６及びその他クレードル機器構成１０はその動作を停止する。（Ｓ１０３）
そして、給電機器検出回路部５９は、ＦＥＴ６１をＯＮにする論理状態を表わす電圧レベルの電圧を、信号経路３９を通じてＦＥＴ６１に印加する。ＦＥＴ６１はＯＮになり、電源経路２７を通じて供給された電力を、電源経路４１を通じて、ＦＥＴ６０、ＦＥＴ６２及びクレードル機器給電制御部６３に供給される。クレードル機器給電制御部６３に供給された電力は、クレードル機器給電制御部６３を経由し、電源経路３１を通じて携帯機器検出回路部６及びその他クレードル機器構成１０に供給される。（Ｓ１０４）
次に、携帯機器検出回路部６及びその他クレードル機器構成１０は、給電機器９０から供給された電力により、その動作を再開する。（Ｓ１０５）
そして、電流測定回路部５８は、電力の供給停止にともない低下したＶＢＵＳ電源経路２１の電流値を測定する。その電流値は、信号経路３６を通じて、携帯機器給電制御部５７に送られる。（Ｓ１０６）
次に、携帯機器給電制御部５７は、電流測定回路部５８から送られた電流値が、正であり、かつ、予め設定された閾値よりも小さいことを判定する。（Ｓ１０７）
携帯機器給電制御部５７は、信号経路３４を通じて充電回路部５５に信号を送り、電池５６から充電回路部５５を経由し、電源経路３５を通じて、携帯機器給電制御部５７及びに電力が送られないようにする。また、携帯機器給電制御部５７は、信号経路３４を通じて充電回路部５５に信号を送り、電源経路３７を通じて、電流測定回路部５８を経由して、ＶＢＵＳ電源経路２１を通じて、クレードル機器給電部５に電力が供給されないようにする。（Ｓ１０８）
そして、クレードル機器検出回路部３及びその他携帯機器構成１１は、電力が供給されなくなるため、その動作を停止する。（Ｓ１０９）
次に、クレードル機器給電制御部６３は、ＦＥＴ６２に、信号経路４０を通じて、ＦＥＴ６２をＯＮにする論理状態を表わす電圧レベルの電圧を印加する。（Ｓ１１０）
そして、ＦＥＴ６２がＯＮになり、ＦＥＴ６２に電源経路４１を通じて供給された電力は、ＦＥＴ６２を経由し、ＶＢＵＳ電源経路２１を通じ、電流測定回路部５８を経由し、電源経路３７を通じて、充電回路部５５に供給される。充電回路部５５に供給された電力は、さらに携帯機器給電制御部５７を経由し、電源経路２６を通じて、クレードル機器検出回路部３及びその他携帯機器構成１１に供給される。
【００８１】
次に、クレードル機器検出回路部３及びその他携帯機器構成１１は、給電機器９０から供給された電力で動作を再開する（Ｓ１１１）
一方、充電回路部５５は、電源経路３７を通じて供給された電力を電池５６に供給し、電池５６の充電を行う。（Ｓ１１２）
そして、終了する。なお、本動作フローにおける終了とは、携帯機器検出回路部６及びその他クレードル機器構成１０、クレードル機器検出回路部３及びその他携帯機器構成１１が、給電機器９０から供給される電力により動作する状態である。この状態は、さらに、給電機器９０から供給される電力により電池５６が充電されている状態である。
【００８２】
次に、給電機器９０が接続されたクレードル機器２００が携帯機器１００に接続されており、給電機器９０から、クレードル機器２００及び携帯機器１００に電力が供給されている状態において、給電機器９０が取り外された場合の動作フローを説明する。
【００８３】
図９は、本実施形態の機器システムにおける動作フロー（その３）の例を表わす概念図である。同図は上記場合についての動作フローである。
【００８４】
本フローの前提として、電力が供給されていない状態ではＦＥＴ６０はＯＮに、ＦＥＴ６２はＯＦＦになるように設定されている。この設定は、例えば、クレードル機器給電部５に図示しない電池を設けることにより行う。その電池により、給電機器検出回路部５９から信号経路３８を通じてＦＥＴ６０に、クレードル機器給電制御部６３から信号経路４０を通じてＦＥＴ６２に、それぞれ印加される電圧の電圧レベルの表わす論理状態を上記のように設定する。この場合の電池は、携帯機器１００からの電力の供給があるまでの短時間のあいだＦＥＴを動作させるだけのものなので、小容量のもので構わない。
【００８５】
まず、給電機器９０が、クレードル機器２００から取り外される。これにより、電源経路２７を通じてクレードル機器給電部５に、さらにＶＢＵＳ電源経路２１を通じての携帯機器給電部２への電力の供給が停止する。（スタート）
次に、携帯機器検出回路部６及びその他クレードル機器構成１０は、給電機器９０からの電力供給の停止により、その動作を停止する。（Ｓ２０１）
そして、クレードル機器検出回路部３及びその他携帯機器構成１１は、給電機器９０からの電力供給の停止により、その動作を停止する。（Ｓ２０２）
次に、充電回路部５５は、電源経路３７を通じての電力の供給が停止したのを検出し、電池５６に電力の供給を行わせる。（Ｓ２０３）
そして、電池５６から供給された電力は、携帯機器給電制御部５７、及び携帯機器給電制御部５７を経由して、電源経路２６を通じて、クレードル機器検出回路部３及びその他携帯機器構成１１に供給される。
【００８６】
次に、クレードル機器検出回路部３及びその他携帯機器構成１１は、電池５６からの電力供給を受けて、その動作を再開する。（Ｓ２０４）
電池５６から供給された電力は、電源経路３７を通じて、電流測定回路部５８を経由し、ＶＢＵＳ電源経路２１を通じてＦＥＴ６０及びＦＥＴ６２に送られる。前述のように、ＦＥＴ６０はＯＮであり、ＦＥＴ６２はＯＦＦであるので、ＶＢＵＳ電源経路２１を通じて供給された電力は、ＦＥＴ６０を経由して、電源経路４１を通じて、クレードル機器給電制御部６３に供給される。クレードル機器給電制御部６３に供給された電力は、電源経路３１を通じて、携帯機器検出回路部６及びその他クレードル機器構成１０に供給される。
【００８７】
そして、携帯機器検出回路部６は、給電機器９０からの電力供給の停止により一旦できなくなっていた、クレードル機器検出回路部３との間でのＵＳＢ通信を再開する。（Ｓ２０５）
また、その他クレードル機器構成１０は、給電機器９０からの電力供給の停止により一旦できなくなっていた動作を再開する。（Ｓ２０６）
そして、終了する。なお、本動作フローにおける終了とは、携帯機器検出回路部６及びその他クレードル機器構成１０、クレードル機器検出回路部３及びその他携帯機器構成１１が、電池５６から供給される電力により動作する状態をいう。
［効果］
本実施形態の機器システム等は、クレードル機器に対し給電機器からの給電があると判定されるときには携帯機器からクレードル機器へは給電されない。ここで、「機器システム等」は、機器システム、それを構成するクレードル機器及び携帯機器のうちのそれぞれをいい、以下においても同じである。また、本実施形態の機器システムは、給電機器からの給電があると判定されない時に、携帯機器から給電される。
【００８８】
そのため、本実施形態の機器システム等は、クレードル機器に対し、給電機器及び携帯機器から同時に給電される確率を低減することができる。従い、本実施形態の機器システムは、給電機器及び携帯機器から同時に給電されることによる障害の発生確率を低減することができる。
【００８９】
それに加えて、本実施形態の機器システム等は、携帯機器とクレードル機器間を接続する物理インタフェースとして、特殊なコネクタを使用せず、標準インタフェースであるマイクロＵＳＢコネクタを使用している。端子数の多い特殊なコネクタを用いれば、携帯機器からクレードル機器に対して給電を行うための回路を構成するのは困難ではないが、携帯機器のサイズが大きくなるデメリットがある。また、マイクロＵＳＢコネクタが、給電機器と接続するための標準的なインタフェースであることを考えると、クレードル接続用の特殊コネクタに加え、マイクロＵＳＢコネクタが必要になる可能性もあり、携帯機器のサイズはさらに肥大化する。本実施形態の機器システムでは、携帯機器が有するのはマイクロＵＳＢコネクタだけであっても、クレードル機器と接続することが可能であり、さらに携帯機器からクレードル機器に対して給電を行うことも可能としている。
【００９０】
さらに加えて、本実施形態の機器システム等は、携帯機器とクレードル機器が、互いの接続有無を判定するために、専用のインタフェースを用いず、ＵＳＢインタフェースだけで実施することが可能である。本実施形態の機器システムにおいては、ＵＳＢ＿ＩＤ信号経路を使用することで、携帯機器とクレードル機器は、互いに接続有無を判定することが出来るため、サイズに関して大きなメリットがある。本効果は、本実施形態の機器システムだけでなく、それを構成するクレードル機器及び携帯機器のそれぞれに共通の効果である。
【００９１】
さらに加えて、本実施形態の機器システムは、大規模な回路や部品を追加する必要が無い。本実施形態の機器システムは、汎用的な部品によって構成することが可能であり、特殊なＩＣを用いなくても上記効果を得ることが可能である。
＜第四実施形態＞
［構成］
本実施形態の機器システム１０００の構成は、第三実施形態の図３にその概念図を表わした機器システム１０００の構成と同じであるので、その説明は省略する。
【００９２】
図１０は、本実施形態の機器システムにおける、携帯機器給電部２と、クレードル機器給電部５の構成を表わす概念図である。
【００９３】
携帯機器給電部２の構成は、図にその概念図を表わした、第三実施形態の携帯機器給電部２の構成と同じであるので、その説明は省略する。
【００９４】
本実施形態のクレードル機器給電部５ａは、給電機器検出回路部５９と、ＦＥＴ６０と、ＦＥＴ６１と、ＦＥＴ６２と、クレードル機器給電制御部６３とを備える。
【００９５】
クレードル機器給電部５ａは、第三実施形態のクレードル機器給電部５とは、ＦＥＴ６１がなく、ダイオード６４、及びダイオード６５が追加されている点が異なる。また、信号経路３９は、ＦＥＴ６１の代わりに、クレードル機器給電制御部６３に接続され、クレードル機器給電制御部６３が、信号経路３９の電圧レベルを測定する。
【００９６】
ダイオード６４、及びダイオード６５は、ダイオードの特性上、アノード側からカソード側に電流を流し、逆方向には電流を流さない。そのため、例えば、ＦＥＴ６０から電力が供給されていない状態で、カソード側に電源経路４１を通じて電力が供給された場合、ダイオード６４は、アノード側、すなわち、ＦＥＴ６０に電力を供給しない。ダイオード６５も同様で、電源経路２７を通じて電力がダイオード６５のアノード側に供給されている場合、電源経路４１を通じてカソード側に電力を供給する。一方、電源経路２７を通じて電力が供給されていない状態で、カソード側に電源経路４１を通じた電力が供給された場合、ダイオード６５は、アノード側、すなわち給電機器検出回路部５９に電源経路２７を通じた電力を供給しない。
［効果］
本実施形態の機器システム等は、まず第三実施形態の機器システム等と同様の効果がある。
【００９７】
本実施形態の機器システム等は、それに加えて、以下において説明する効果を得ることができる。
【００９８】
図４に表わした第三実施形態の機器システム１０００の構成において、携帯機器１００からクレードル機器２００に対して、ＶＢＵＳ電源経路２を通じて電力を供給している状態を想定する。その状態において、クレードル機器２００に給電機器９０が接続された場合、ＦＥＴ６０、ＦＥＴ６１、及びＦＥＴ６２がＯＦＦになる。そのため、クレードル機器給電制御部６３に、電力が供給されない状態が存在し、携帯機器１００とクレードル機器２００がＵＳＢ通信を行っている場合に、その通信が一度切れてしまうという制限がある。
【００９９】
それに対し、図１０に表わした本実施形態の機器システム１０００ｂの構成では、ＦＥＴ６１の代わりに、ダイオード６４、及びダイオード６５を追加する。そのため、ＦＥＴ６０及びＦＥＴ６２がＯＦＦになり、携帯機器１００から供給されるＶＢＵＳ電源経路２１の電源経路が遮断されても、給電機器９０からクレードル機器２００に電源経路２７を通じて電力が供給される。そして、ダイオード６５を介して電源経路４１を通じてクレードル機器給電制御部６３に電力が供給される。クレードル機器給電制御部６３には電力が供給され続けるため、携帯機器１００とクレードル機器２００の間のＵＳＢ通信が中断されることが無い。
【０１００】
また、ダイオード６４、及びダイオード６５によって、携帯機器１００、及び給電機器９０からクレードル機器２００に対して同時に供給される電力が、クレードル機器２００内で衝突することも無い。そのため、図４に表わした第三実施形態構成における、ＦＥＴ６１の動作により得られる効果と上記利点とを両立させることが可能である。
＜第五実施形態＞
図１１は、本実施形態の機器システム１０００ｃの構成を表わす概念図である。
【０１０１】
携帯機器１００の構成は、図３にその概念図を表わした、第三実施形態の機器システム１０００の携帯機器１００の構成と同じであるので、その説明を省略する。
【０１０２】
一方、クレードル機器２００ｃは、クレードル機器給電部５をクレードル機器給電部５Ｃで、携帯機器検出回路部６を携帯機器検出回路部６ｃで、それぞれ置き換える点が、第三実施形態の機器システム１０００のクレードル機器２００の構成と異なる。また、クレードル機器２００ｃは、クレードル機器給電部２と携帯機器検出回路部６ｃの間に、信号経路４２が追加される点が、第三実施形態のクレードル機器２００の構成と異なる。上記以外の構成は第三実施形態の機器システム１０００のクレードル機器２００の構成と同じである。
【０１０３】
図１２は、本実施形態の機器システム１０００ｃにおける、携帯機器給電部２ｃと、クレードル機器給電部５ｃの構成を表わす概念図である。
【０１０４】
携帯機器給電部２ｃが、図４に表わした第三実施形態の携帯機器給電部２と異なる点は、電流測定回路部５８が削除され、それに伴って信号経路３６、電源経路３７も削除されている点である。一方、クレードル機器給電部５ｃが図４に表わした第三実施形態のクレードル機器給電部５と異なる点は、ＦＥＴ６１を削除し、ダイオード６４、ダイオード６５、及び信号経路４２を追加している点である。また、信号経路３９は、ＦＥＴ６１の代わりに、クレードル機器給電制御部６３ｃに接続される。
【０１０５】
クレードル機器給電制御部６３ｃは信号経路３９の電圧レベルを測定する。クレードル機器給電制御部６３ｃは、クレードル機器２００ｃに給電機器９０が接続された場合、信号経路４２の電圧レベルが表わす論理状態を変化させる。この論理状態の変化は、クレードル機器２００ｃが、携帯機器１００ｃから、ＶＢＵＳ電源経路２１を通じて電力供給されている状態で行われる。その電圧レベルの電圧は、携帯機器検出回路部６に送られる。電流測定回路部５８が削除されたため、携帯機器給電部２は、クレードル機器２００ｃに外部電源経路機器が接続されたことに相当する内容を、ＶＢＵＳ電源経路２１を流れる電流によっては検出することは出来ない。
【０１０６】
図１３は、本実施形態のクレードル機器検出回路部３、及び携帯機器検出回路部６ｃの構成例を表わす概念図である。クレードル機器検出回路部３は図３にその概念図を表わした第一実施形態のクレードル機器検出回路部３と同じ構成である。一方、携帯機器検出回路部６ｃは、同図に表わしたように、ＦＥＴ６６、及び信号経路４２を追加している。ＦＥＴ６６は、ＵＳＢ＿ＩＤ信号経路２４の途中に挿入され、クレードル機器給電部５から送られる信号経路４２の電圧レベルが表わす論理状態によって、ＯＮもしくはＯＦＦになる。ＦＥＴ６６がＯＮの場合、ＵＳＢ＿ＩＤ信号経路２４は、電圧監視ＩＣ５１と、電圧監視ＩＣ５３に接続され、ＯＦＦの場合、ＵＳＢ＿ＩＤ信号経路２４は、ＦＥＴ６６の電圧監視ＩＣ５１側と、電圧監視ＩＣ５３側とで分離される。電圧監視ＩＣ５１は、抵抗５４が接続されなくなるため、携帯機器１００とクレードル機器２００が接続している場合でも、ＵＳＢ＿ＩＤ信号経路２４の電圧レベルは、電源経路２６とほぼ同電位のままとなる。
【０１０７】
この時、電圧監視ＩＣ５１は、信号経路２５の電圧レベルが表わす論理状態を変化させない。そのため、携帯機器１００は、クレードル機器２００ｃが接続されていないと判定する。そして、携帯機器給電部２が、ＶＢＵＳ電源経路２１を通じてクレードル機器給電制御部５に電力を供給している場合、携帯機器給電部２は、ＶＢＵＳ電源経路２１を通じての電力の供給を停止する。同様に、電圧監視ＩＣ５３は、抵抗５２が接続されなくなるため、ＵＳＢ＿ＩＤ信号経路２４の電圧レベルは、電源経路３１の電圧レベルよりも低いままとなる。この時、電圧監視ＩＣ５３は、信号経路３０の電圧レベルが表わす論理状態を変化させないが、クレードル機器給電制御部６３ｃは、自ら信号経路４２の電圧レベルを制御することで、ＦＥＴ６６をＯＦＦにする。そのため、クレードル機器給電制御部６３ｃは、信号経路３０の電圧レベルが表わす論理状態によらず、携帯機器１００が、クレードル機器２００と接続していると認識する。そして、クレードル機器給電制御部６３ｃは、信号経路４０の電圧によってＦＥＴ６２をＯＮにし、ＶＢＵＳ電源経路２１を通じて電力を供給させる。その後、クレードル機器給電制御部６３ｃは、信号経路４２の電圧によってＦＥＴ６６をＯＦＦにする。そして、クレードル機器給電制御部６３ｃは、クレードル機２００に、携帯機器１００が接続されたままである場合、ＶＢＵＳ電源経路２１を通じて電力を供給させ続ける。一方、携帯機器１００が接続されていない場合、クレードル機器給電制御部６３ｃは、信号経路４０の電圧によってＦＥＴ６２をＯＦＦにして、ＶＢＵＳ電源経路２１を通じての電力の供給を停止させる。
【０１０８】
ＦＥＴ６６をＯＦＦにすることにより携帯機器１００にもたらされる上記状態により表わされた情報が、クレードル機器２００ｃに給電機器９０が接続されたことに相当する情報である。
【０１０９】
なお、本実施形態の機器システム等においては、上述のように、ＵＳＢ＿ＩＤ信号経路２４をクレードル機器２００側において遮断し、携帯機器１００とクレードル機器２００Ｃとの接続が遮断されたことに相当する内容を携帯機器１００に判定させる。このＵＳＢ＿ＩＤ信号経路２４の遮断により携帯機器１００にもたらされる、携帯機器１００に判定させるための情報は、クレードル機器２００Ｃから送られた情報であると考えることもできる。この携帯機器１００に判定させるための情報は、あるいは、クレードル機器２００Ｃから送られた情報が送られなくなったことによりもたらされた情報であると考えることもできる。
［効果］
第三実施形態の構成では、携帯機器からクレードル機器にＶＢＵＳ電源経路を通じて電力を供給している場合、クレードル機器に給電機器９０が接続されているかに相当する情報を、携帯機器１００内の電流測定回路部５８での測定により得ていた。この場合は、ＶＢＵＳ電源経路２１に電流測定回路部５８を接続することで、電圧レベルの垂下や、多大な電流が流れた際に発生する発熱が懸念される。また、電流測定回路部５８を搭載することで、携帯機器１００の機器サイズが大きくなる可能性がある。
【０１１０】
これに対し、本実施形態の構成では、携帯機器１００に、携帯機器１００からクレードル機器２００に供給する電力の電流を測定する構成を設けない。そして、クレードル機器２００が給電機器９０の接続を検出した場合、クレードル機器２００は、ＵＳＢ＿ＩＤ信号経路２４の接続を遮断する。それにより、クレードル機器２００は、携帯機器１００に対して、クレードル機器２００との接続が解除されたように見せる。このように、クレードル機器２００が、携帯機器１００からのＶＢＵＳ電源経路２１の給電を停止させることで、本実施形態の機器システム１０００ｃは、第三実施形態の機器システム１０００と同様の効果が得られる。
【０１１１】
さらに加えて、本実施形態の機器システム１０００ｃは、携帯機器１００から、電流測定回路部５８を削除することで、機器サイズやコスト等への利益を得ることが出来る。
【０１１２】
以上好ましい実施形態をあげて本発明を説明したが、本発明は必ずしも上記実施形態に限定されるものではなく、その技術的思想の範囲内において様々に変形し実施することが出来る。
【０１１３】
また、上記の実施形態の一部又は全部は、以下の付記のようにも記述され得るが、以下には限られない。
（付記Ａ１）
給電機器への接続による前記給電機器からの電力の供給と、
接続されたクレードル機器に対し前記給電機器の接続がされたことに相当する情報、によりそのクレードル機器への電力の供給を停止する、携帯機器への接続による、前記携帯機器からの電力の供給と、
前記給電機器からの電力の供給が行われている場合における前記携帯機器への電力の供給と、
が可能なクレードル機器であって、
前記給電機器からの電力の供給を受けて、前記携帯機器からの電力の供給及び前記携帯機器への電力の供給のいずれをも停止し、その後に、前記携帯機器への電力の供給を行う、
クレードル機器。
（付記Ａ２）
前記情報が、前記携帯機器から供給された電力の電流値である、付記Ａ１に記載されたクレードル機器。
（付記Ａ３）
前記情報が、前記給電機器が接続されたクレードル機器から送られた情報である、付記Ａ１に記載されたクレードル機器。
（付記Ａ４）
前記情報が、前記給電機器が接続されたクレードル機器から信号が送られなくなったことによりもたらされる情報である、付記Ａ１に記載されたクレードル機器。
（付記Ａ５）
前記情報により、クレードル機器と携帯機器とが接続が遮断されたことに相当する内容を携帯機器が判定する、付記Ａ３又はＡ４に記載されたクレードル機器。
（付記Ａ６）
前記携帯機器への接続が、ＵＳＢコネクタを通じての接続である、付記Ａ１乃至Ａ５のうちのいずれか一に記載されたクレードル機器。
（付記Ａ７）
前記ＵＳＢコネクタが、マイクロＵＳＢコネクタである、付記Ａ６に記載されたクレードル機器。
（付記Ａ８）
前記携帯機器から前記クレードル機器給電部への前記給電を、前記ＵＳＢコネクタを通じて行う、付記Ａ６又はＡ７に記載されたクレードル機器。
（付記Ａ９）
前記ＵＳＢコネクタを通じての前記給電がＶＢＵＳ電源経路を通じての給電である、付記Ａ６乃至Ａ８のうちのいずれか一に記載されたクレードル機器。
（付記Ａ１０）
前記クレードル機器が電界効果トランジスタを含み、
前記クレードル機器から前記携帯機器への給電の有無を、電界効果トランジスタに印加する電圧の電圧レベルの表わす論理状態を変更することにより行う、付記Ａ１乃至Ａ９のうちのいずれか一に記載されたクレードル機器。
（付記Ａ１１）
前記クレードル機器が一対のダイオードと電界効果トランジスタとを含み、
前記クレードル機器から前記携帯機器への給電の有無を、電界効果トランジスタに印加する電圧の電圧レベルの表わす論理状態を変更することにより行う、付記Ａ１乃至Ａ９のうちのいずれか一に記載されたクレードル機器。
（付記Ｂ１）
接続された給電機器からの給電と、
前記給電機器からの給電が行われている場合における接続された携帯機器への給電と、
接続された携帯機器からの給電と
が可能であり、
前記給電機器への接続を受けて、前記携帯機器への電力の供給及び前記携帯機器からの電力の供給のいずれをも停止し、その後に前記携帯機器への給電を行う、接続されたクレードル機器に対し、給電機器が接続されたことに相当する情報、により、そのクレードル機器への電力の供給を停止する、
携帯機器。
（付記Ｂ２）
前記情報が、前記携帯機器から供給される電力の電流値である、付記Ｂ１に記載された携帯機器。
（付記Ｂ３）
前記情報が、前記給電機器が接続されたクレードル機器から送られた情報である、付記Ｂ１に記載された携帯機器。
（付記Ｂ４）
前記情報が、前記給電機器が接続されたクレードル機器から信号が送られなくなることによりもたらされた情報である、付記Ｂ１に記載された携帯機器。
（付記Ｂ５）
前記情報により、クレードル機器と携帯機器とが接続が遮断されたことに相当する内容を判定する、付記Ｂ３又はＢ４に記載された携帯機器。
（付記Ｂ６）
前記クレードル機器への前記接続が、ＵＳＢコネクタを通じての接続である、付記Ｂ１乃至５のうちのいずれか一に記載された携帯機器。
（付記Ｂ７）
前記ＵＳＢコネクタが、マイクロＵＳＢコネクタである、付記Ｂ６に記載された携帯機器。
（付記Ｂ８）
前記クレードル機器から前記携帯機器給電部への前記給電が、ＵＳＢコネクタを通じての給電である、付記Ｂ６又は付記Ｂ７に記載された携帯機器。
（付記Ｂ９）
前記ＵＳＢコネクタを通じての前記給電がＶＢＵＳ電源経路を通じての給電である、付記Ｂ８に記載された携帯機器。
（付記Ｂ１０）
前記携帯機器から前記クレードル機器への前記給電が、ＵＳＢコネクタを通じての給電である、付記Ｂ１乃至付記Ｂ９のうちのいずれか一に記載された携帯機器。
（付記Ｂ１１）
前記ＵＳＢコネクタを通じての前記給電がＶＢＵＳ電源経路を通じての給電である、付記Ｂ１０に記載された携帯機器。
（付記Ｂ１２）
前記クレードル機器からの前記給電を受けて、前記電池への充電を行う、付記Ｂ１乃至付記Ｂ１１のうちのいずれか一に記載された携帯機器。
（付記Ｃ１）
携帯機器と、前記携帯機器への接続が可能なクレードル機器とを備え、
前記クレードル機器は、
給電機器への接続による、前記給電機器からの電力の供給と、
携帯機器への接続による、前記携帯機器からの電力の供給と、
前記給電機器からの電力の供給が行われている場合における、前記携帯機器への電力の供給と、
が可能であり、
前記給電機器からの電力の供給を受けて、前記携帯機器からの電力の供給及び前記携帯機器への電力の供給のいずれをも停止し、その後に、前記携帯機器への電力の供給を行う、
クレードル機器であり、
前記携帯機器は、接続された前記クレードル機器に対し前記給電機器の接続がされたことに相当する情報、により前記クレードル機器への電力の供給を停止する、携帯機器である、
機器システム。
（付記Ｃ２）
前記情報が、前記携帯機器から前記クレードル機器に供給された電力の電流値である、付記Ｃ１に記載された機器システム。
（付記Ｃ３）
前記情報が、前記給電機器が接続された前記クレードル機器から、前記携帯機器に、送られた情報である、付記Ｃ１に記載された機器システム。
（付記Ｃ４）
前記情報が、前記給電機器が接続された前記クレードル機器から、前記携帯機器に、信号が送られなくなったことによりもたらされる情報である、付記Ｃ１に記載された機器システム。
（付記Ｃ５）
前記情報により、前記クレードル機器と前記携帯機器とが接続が遮断されたことに相当する内容を前記携帯機器が判定する、付記Ｃ３又はＣ４に記載された機器システム。
（付記Ｃ６）
前記携帯機器への接続が、ＵＳＢコネクタを通じての接続である、付記Ｃ１乃至Ｃ５のうちのいずれか一に記載された機器システム。
（付記Ｃ７）
前記ＵＳＢコネクタが、マイクロＵＳＢコネクタである、付記Ｃ６に記載された機器システム。
（付記Ｃ８）
前記携帯機器から前記クレードル機器給電部への前記給電を、前記ＵＳＢコネクタを通じて行う、付記Ｃ６又はＣ７に記載された機器システム。
（付記Ｃ９）
前記ＵＳＢコネクタを通じての前記給電がＶＢＵＳ電源経路を通じての給電である、付記Ｃ６乃至Ｃ８のうちのいずれか一に記載された機器システム。
（付記Ｃ１０）
前記クレードル機器が電界効果トランジスタを含み、
前記クレードル機器から前記携帯機器への給電の有無を、電界効果トランジスタに印加する電圧の電圧レベルの表わす論理状態を変更することにより行う、付記Ｃ１乃至Ｃ９のうちのいずれか一に記載された機器システム。
（付記Ｃ１１）
前記クレードル機器が一対のダイオードと電界効果トランジスタとを含み、
前記クレードル機器から前記携帯機器への給電の有無を、電界効果トランジスタに印加する電圧の電圧レベルの表わす論理状態を変更することにより行う、付記Ｃ１乃至Ｃ９のうちのいずれか一に記載された機器システム。
【符号の説明】
【０１１４】
１    第一接続部
２、２ｃ    携帯機器給電部
３    クレードル機器検出回路部
４    第二接続部
５、５ａ、５ｃ    クレードル機器給電部
６、６ｃ    携帯機器検出回路部
７    第三接続部
１０    その他クレードル機器構成
１１    その他携帯機器構成
２１    ＶＢＵＳ電源経路
２２    ＵＳＢ＿Ｄ−信号経路
２３    ＵＳＢ＿Ｄ＋信号経路
２４    ＵＳＢ＿ＩＤ信号経路
２５    信号経路
２６、２７、３１、４１    電源経路
２８、２９、３０、３６、３８、４０    信号経路
５１、５３    電圧監視ＩＣ
５２、５４    抵抗
５５    充電回路部
５６    電池
５７    携帯機器給電制御部
５８    電流測定回路部
５９    給電機器検出回路部
６０、６１、６２、６６    ＦＥＴ
６３    クレードル機器給電制御部
６４、６５    ダイオード
１００、０１００    携帯機器
２００、２００ｃ、０２００    クレードル機器
１０００、１０００ｃ    機器システム
【図１】
2016181994.tif 000003
【図２】
2016181994.tif 000004
【図３】
2016181994.tif 000005
【図４】
2016181994.tif 000006
【図５】
2016181994.tif 000007
【図６ａ】
2016181994.tif 000008
【図６ｂ】
2016181994.tif 000009
【図６ｃ】
2016181994.tif 000010
【図７】
2016181994.tif 000011
【図８】
2016181994.tif 000012
【図９】
2016181994.tif 000013
【図１０】
2016181994.tif 000014
【図１１】
2016181994.tif 000015
【図１２】
2016181994.tif 000016
【図１３】
2016181994.tif 000017